(57)【要約】【課題】  車両用シートに装着された際の見栄えを向上し、当該車両用シートとのずれを防止し得るとともに、張り替え作業を不要とすることができる車両用シートカバー及びその装着方法を提供する。【解決手段】  所定の立体形状に成形された背もたれ部本体Ｕと、複数の表皮片を縫合して成る表皮部材Ｈと、背もたれ部本体Ｕ内に延設されたフレームＦと、表皮部材Ｈの縫合部位を背もたれ部本体Ｕ内に引込みつつフレームＦと連結可能な連結手段４とを有する車両用シート２の外表面を覆いつつ装着される車両用シートカバー１において、シートカバー本体Ｋと、該シートカバー本体ＫのフレームＦに対応する位置に延設され、固定用ワイヤＷを保持可能な袋体５と、該袋体５で保持された固定用ワイヤＷを背もたれ部本体Ｕ内に引き込みつつフレームＦと連結可能な取付用連結手段６とを具備したものである。【選択図】図７
2007089869.tif 000002
【特許請求の範囲】
【請求項１】
所定の立体形状に成形されたウレタンから成る着座部本体又は背もたれ部本体と、所定形状に裁断された複数の表皮片を縫合して成るとともに前記着座部本体又は背もたれ部本体の外表面を覆う表皮部材と、該表皮部材の縫合部位に沿って前記着座部本体又は背もたれ部本体内に延設されたフレームと、前記表皮部材の縫合部位を前記着座部本体又は背もたれ部本体内に引込みつつ前記フレームと連結可能な連結手段とを有する車両用シートの外表面を覆いつつ装着される車両用シートカバーにおいて、
前記着座部本体又は背もたれ部本体の外表面形状に倣ったシートカバー本体と、
該シートカバー本体の裏面における前記フレームに対応する位置に延設され、固定用ワイヤを保持可能な保持部材と、
該保持部材で保持された固定用ワイヤを前記着座部本体又は背もたれ部本体内に引き込みつつ前記フレームと連結可能な取付用連結手段と、
を具備したことを特徴とする車両用シートカバー。
【請求項２】
前記固定用ワイヤは、前記表皮部材の縫合部位に沿って固定されていたものであって、当該表皮部材から取り除かれたものであることを特徴とする請求項１記載の車両用シートカバー。
【請求項３】
前記保持部材は、前記シートカバー本体の裏面に略袋状にて取り付けられ、前記表皮部材から取り除かれた固定用ワイヤを挿通することにより収容して当該シートカバー本体に取り付け得る袋体であることを特徴とする請求項２記載の車両用シートカバー。
【請求項４】
請求項１〜請求項３の何れか１つに記載の車両用シートカバーの車両用シートへの装着方法であって、
前記表皮部材の縫合部位を裁断し、前記連結手段による当該表皮部材の縫合部位とフレームとの連結を解いた後、前記シートカバー本体を着座部本体又は背もたれ部本体に被せるとともに、前記固定ワイヤを当該着座部本体又は背もたれ部本体内に引込みつつ前記取り付け用連結手段にて連結させることを特徴とする車両用シートカバーの装着方法。
【発明の詳細な説明】
【技術分野】
【０００１】
本発明は、自動車等に配設された車両用シートの外表面を覆いつつ装着される車両用シートカバー及びその装着方法に関するものである。
【背景技術】
【０００２】
自動車等における車両用シートは、一般に、所定の立体形状に成形されたウレタンから成る着座部本体又は背もたれ部本体と、所定形状に裁断された複数の表皮片を縫合して成るとともに着座部本体又は背もたれ部本体の外表面を覆う表皮部材と、該表皮部材の縫合部位に沿って着座部本体又は背もたれ部本体内に延設されたフレームと、表皮部材の縫合部位に沿って当該表皮部材裏面に延設された固定用ワイヤと、該固定用ワイヤとフレームとを連結することにより表皮部材の縫合部位を着座部本体又は背もたれ部本体内に引込み可能な連結手段とを有していた。
【０００３】
上記の如き車両用シートの外表面を覆いつつ装着される車両用シートカバーは、従来、車両用シートを構成する着座部又は背もたれ部の外表面に被された後、その下部や側部に形成されたファスナー等の固定手段で当該着座部又は背もたれ部に固定されていた。これにより、ユーザーの嗜好に合った車両用シートカバーを極めて簡易に車両用シートに装着することができる。尚、かかる先行技術は、文献公知発明に係るものでないため、記載すべき先行技術文献情報はない。
【発明の開示】
【発明が解決しようとする課題】
【０００４】
しかしながら、上記従来の車両用シートカバーにおいては、下部や側部に形成されたファスナー等の固定手段で着座部又は背もたれ部に固定されていたため、当該着座部又は背もたれ部の立体形状に倣って装着されることが困難とされ、見栄えが悪くずれ易いという問題があった。すなわち、立体形状の着座部又は背もたれ部には、その外表面に凹凸形状が形成されているため、凹部にて着座部又は背もたれ部の表面とシートカバーとが離間してしまい（所謂浮いた状態となってしまい）、だぶついた状態となって見栄えが悪く、且つ、その部位でシートカバーが着座部又は背もたれ部に対してずれてしまうという問題があったのである。
【０００５】
しかして、ユーザーの嗜好に合った車両用シートの外表面とすべく、着座部本体又は背もたれ部本体の外表面を覆う表皮部材を一旦取り除き、新たなシートカバーを装着させることが考えられる。しかし、このようなシートカバーの張り替えを行った場合、表皮部材を取り除くための作業時間が必要であり、張り替えのためのコストがかかってしまうとともに、取り除かれた表皮部材が廃棄物となってしまい、その廃棄物処理のためのコストがかかってしまうという問題があった。
【０００６】
本発明は、このような事情に鑑みてなされたもので、車両用シートに装着された際の見栄えを向上し、当該車両用シートとのずれを防止し得るとともに、張り替え作業を不要とすることができる車両用シートカバー及びその装着方法を提供することにある。
【課題を解決するための手段】
【０００７】
請求項１記載の発明は、所定の立体形状に成形されたウレタンから成る着座部本体又は背もたれ部本体と、所定形状に裁断された複数の表皮片を縫合して成るとともに前記着座部本体又は背もたれ部本体の外表面を覆う表皮部材と、該表皮部材の縫合部位に沿って前記着座部本体又は背もたれ部本体内に延設されたフレームと、前記表皮部材の縫合部位を前記着座部本体又は背もたれ部本体内に引込みつつ前記フレームと連結可能な連結手段とを有する車両用シートの外表面を覆いつつ装着される車両用シートカバーにおいて、前記着座部本体又は背もたれ部本体の外表面形状に倣ったシートカバー本体と、該シートカバー本体の裏面における前記フレームに対応する位置に延設され、固定用ワイヤを保持可能な保持部材と、該保持部材で保持された固定用ワイヤを前記着座部本体又は背もたれ部本体内に引き込みつつ前記フレームと連結可能な取付用連結手段とを具備したことを特徴とする。
【０００８】
請求項２記載の発明は、請求項１記載の車両用シートカバーにおいて、前記固定用ワイヤは、前記表皮部材の縫合部位に沿って固定されていたものであって、当該表皮部材から取り除かれたものであることを特徴とする。
【０００９】
請求項３記載の発明は、請求項２記載の車両用シートカバーにおいて、前記保持部材は、前記シートカバー本体の裏面に略袋状にて取り付けられ、前記表皮部材から取り除かれた固定用ワイヤを挿通することにより収容して当該シートカバー本体に取り付け得る袋体であることを特徴とする。
【００１０】
請求項４記載の発明は、請求項１〜請求項３の何れか１つに記載の車両用シートカバーの車両用シートへの装着方法であって、前記表皮部材の縫合部位を裁断し、前記連結手段による当該表皮部材の縫合部位とフレームとの連結を解いた後、前記シートカバー本体を着座部本体又は背もたれ部本体に被せるとともに、前記固定ワイヤを当該着座部本体又は背もたれ部本体内に引込みつつ前記取り付け用連結手段にて連結させることを特徴とする。
【発明の効果】
【００１１】
請求項１及び請求項４の発明によれば、取付用連結手段にて固定用ワイヤを着座部本体又は背もたれ部本体内に引き込みつつフレームと連結するので、車両用シートの立体形状に倣わせつつ車両用シートカバーを固定し装着させることができる。従って、車両用シートに装着された際の見栄えを向上し、当該車両用シートとのずれを防止し得るとともに、張り替え作業を不要とすることができる。
【００１２】
請求項２の発明によれば、固定用ワイヤは、表皮部材の縫合部位に沿って固定されていたものであって、当該表皮部材から取り除かれたものであるので、固定用ワイヤを再利用することができ、廃棄物を更に低減させることができる。
【００１３】
請求項３の発明によれば、保持部材が表皮部材から取り除かれた固定用ワイヤを挿通することにより収容し得る袋体であるので、より容易に固定用ワイヤをシートカバー本体に取り付けることができ、作業性をより向上させることができる。
【発明を実施するための最良の形態】
【００１４】
以下、本発明の実施形態について図面を参照しながら具体的に説明する。
本実施形態に係る車両用シートカバーは、図１に示すように、自動車等の車両用シート２（搭乗員が着座する着座部２ｂや着座した搭乗員が背もたれする背もたれ部２ａにて構成されている）における背もたれ部２ａの外表面を覆いつつ装着されるものである。まず、適用される車両用シート２について以下に説明する。
【００１５】
車両用シート２の背もたれ部２ａは、図２及び図３に示すように、所定形状の背もたれ部本体Ｕと、該背もたれ部本体Ｕを覆う表皮部材Ｈと、背もたれ部本体Ｕ内に延設されたフレームＦと、表皮部材Ｈの縫合部位を背もたれ部本体Ｕ内に引込みつつフレームＦと連結可能な連結手段４とを有するものである。尚、車両用シート２の着座部２ｂについても、同様の構成とされている。
【００１６】
背もたれ部本体Ｕは、ウレタン（具体的には弾性に富んだ発泡ウレタン）を所定の立体形状に成形したものであり、背もたれ部２ａの外観形状を成すものである。具体的には、着座部２ｂに着座した搭乗者が背もたれし易いよう、例えば後述する表皮片Ｈ２及びＨ３で覆われる部位（即ち、背もたれ部２ａの両側部）を前方に向かって盛り上げた形状となっている。
【００１７】
表皮部材Ｈは、所定形状に裁断された複数の表皮片（Ｈ１〜Ｈ７）を縫合して成るとともに背もたれ部本体Ｕの外表面を覆う布や皮などから成るものである。かかる表皮片（Ｈ１〜Ｈ７）の縫合部位は、背もたれ部本体Ｕの立体形状に沿うよう設定されているとともに、当該縫合部位には固定用ワイヤＷを収容した収容部材３も併せて縫合されている。この収容部材３は、袋状の布製部材から成り、一部が切り欠かれて、内部に収容した固定用ワイヤＷの一部がフレームＦ側に臨むよう構成されている。
【００１８】
フレームＦは、金属製線状部材から成るもので、背もたれ部本体Ｕ内における表皮部材Ｈの縫合部位に沿った位置に一体的に形成されたものである。例えば、成形金型内の所定部位にフレームＦを配置しておき、当該成形金型内にてウレタンを発泡成形させれば、背もたれ部本体Ｕ内の所定位置にフレームＦを具備させることができる。尚、背もたれ部本体ＵにおけるフレームＦが延設された部位のうち、固定用ワイヤＷが収容部材３から臨んだ位置に対応する部位においては、当該フレームＦを外部（表皮Ｈの縫合部位）に臨ませ、固定用ワイヤＷの一部とフレームＦの一部とが対向した構成とされている。
【００１９】
一方、固定用ワイヤＷは、金属製線状部材から成るもので、表皮片（Ｈ１〜Ｈ７）の縫合部位に沿って延設していることからも明らかなように、フレームＦに対応した位置で延設されている。かかる固定用ワイヤＷとフレームＦとは、例えば円環状の連結手段４をかしめることによって連結されており、これにより、表皮部材Ｈの縫合部位を背もたれ部本体Ｕ内に引込みつつ表皮部材Ｈ全体を背もたれ部本体Ｕに固定し得るようになっている。
【００２０】
ここで、本実施形態に係る車両用シートカバー１は、上記の車両用シート２の特に背もたれ部２ａを覆うもので、図４に示すように、背もたれ部２ａの外表面形状に倣ったシートカバー本体Ｋと、該シートカバー本体Ｋの裏面側に取り付けられた袋体５（保持部材）と、取付用連結手段６（図７参照）とを具備したものである。尚、シートカバー本体Ｋの下部には、固定具１ａ及び１ｂが形成されており、これら固定具１ａと１ｂとを係止することにより、シートカバー本体Ｋの下部を背もたれ部２ａに固定し得るようになっている。
【００２１】
シートカバー本体Ｋは、表皮部材Ｈと同様、複数のカバー片Ｋ１〜Ｋ７を縫合して成るものであり、その縫合部位に袋体５が併せて縫合されるよう構成されている。かかる袋体５は、図５に示すように、内部に固定用ワイヤＷを挿通して収容することにより保持し得る布等から成るもので、所定箇所には複数の開口５ａが形成されている。この開口５ａの形成位置は、フレームＦを背もたれ部本体Ｕから外部に臨ませた位置に対応させている。
【００２２】
ところで、固定用ワイヤＷは、表皮部材Ｈの収容部材３内に収容されていたものであり、車両用シートカバー１を車両用シート２に装着するのに先だち予め当該収容部材３から取り除かれたものである。袋体５は、その端部が開口しており、収容部材３から取り除いた固定ワイヤＷを開口から挿通し得るようになっている。尚、例えば固定ワイヤＷの両端を折り曲げ形成して袋体５からの抜け止めを図るようにするのが好ましい。
【００２３】
取付用連結手段６は、袋体５に収容された固定用ワイヤＷとフレームＦとを連結するものであり、既述の連結手段４と同様なもの或いは他の形態のものであってもよい。然るに、取付用連結手段６にて固定用ワイヤＷとフレームＦとを連結することにより、図７に示すように、当該固定用ワイヤＷがシートカバー本体Ｋの縫合部位を伴って背もたれ部本体Ｕ内に引き込まれ、シートカバー本体Ｋ全体が背もたれ部２ａの外表面に固定されることとなる。
【００２４】
次に、上記車両用シートカバー１を車両用シート２に装着する方法について説明する。
まず、表皮部材Ｈの縫合部位を刃具等で裁断し、例えば連結手段４のかしめを解くことにより当該連結手段４による表皮部材Ｈの縫合部位とフレームＦとの連結を解く。このとき、縫合部位に縫合されていた収容部材３もその縫合が解かれるので、これを固定用ワイヤＷと共に取り除いでおく。これにより、縫合部位は、図６に示すような状態とされる。
【００２５】
そして、取り除かれた収容部材３から固定用ワイヤＷを取り除き、その固定用ワイヤＷをシートカバー本体Ｋにおける袋体５に挿通して収容させる。これにより、表皮部材Ｈから取り除かれた固定用ワイヤＷがシートカバー本体Ｋにおける裏面側所定の位置に再び取り付けられることとなり、再利用が可能となるので、廃棄物を低減することができる。尚、袋体５内に別個新たな固定用ワイヤＷを挿通させておくことにより、表皮部材Ｈから取り除かれた固定用ワイヤＷを廃棄するようにしてもよい。
【００２６】
そして、表皮部材Ｈを残したままの背もたれ部２ａの上部から上記シートカバー本体Ｋを被せる過程において、袋体５内に収容された固定用ワイヤＷとフレームＦとを開口を介して取付用連結手段６にて連結させる。このとき、固定用ワイヤと共にシートカバー本体Ｋを構成するカバー片Ｋ１〜Ｋ７の縫合部位が背もたれ部本体Ｕ内に引き込まれることとなる。
【００２７】
以上により本実施形態による車両用シートカバー１の車両用シート２に対する装着作業が終了する。上記装着方法によれば、取付用連結手段６にて固定用ワイヤＷを背もたれ部本体Ｕ内に引き込みつつフレームと連結するので、カバー片Ｋ１〜Ｋ７の縫合部位を背もたれ部本体Ｕ内に引き込むことができ、以て、車両用シート２の立体形状に倣わせつつ（フィットさせつつ）車両用シートカバー１を固定し装着させることができる。
【００２８】
従って、従来の車両用シートカバーの如く、装着状態にて立体形状の車両用シートにおける凹部で離間してしまうものに比べ、車両用シート２に装着された際の見栄えを向上し、当該車両用シート２とのずれを防止することができる。また、既存の表皮部材Ｈの上から装着するので、張り替え作業を不要とすることができ、当該作業に伴うコストの上昇或いは廃棄物を抑制することができるとともに、張り替えにおける表皮部材Ｈの取り外し作業が不要となり装着時間を短縮することができる。
【００２９】
特に、車両用シートの表皮部材を張り替えるものに比べ、専門知識や専門工具がほとんど不要となるため、本実施形態に係る車両用シートカバーのみを送付すれば何れの場所でも作業が可能となり、当該専門知識を有した作業者や専門工具を具備した専門工場に車両用シートを運ぶ手間が省ける。従って、輸送費を抑制することができ、低価格化を図ることができるとともに、シートカバーの態様（バリエーション）を容易に展開することができる。
【００３０】
また、固定用ワイヤＷは、表皮部材Ｈの縫合部位に沿って固定されていたものであって、当該表皮部材Ｈから取り除かれたものであるので、固定用ワイヤＷを再利用することができ、廃棄物を更に低減させることができる。また更に、表皮部材Ｈから取り除かれた固定用ワイヤＷを挿通することにより収容し得る袋体５をシートカバー本体Ｋの裏面側に具備したので、より容易に固定用ワイヤＷをシートカバー本体Ｋに取り付けることができ、作業性をより向上させることができる。
【００３１】
以上、本実施形態について説明したが、車両用シート２の着座部２ｂを覆いつつ装着される車両用シートカバーとしてもよい。この場合、シートカバー本体は、着座部２ｂの外表面形状に倣ったものとする。また、車両用シートカバーは、背もたれ部２ａの上部のみを覆うものとしてもよい。更に、シートカバー本体の材質は、例えば革、布など適宜設定することができる。
【産業上の利用可能性】
【００３２】
前記着座部本体又は背もたれ部本体の外表面形状に倣ったシートカバー本体と、該シートカバー本体の裏面における前記フレームに対応する位置に延設された固定用ワイヤと、該固定用ワイヤを前記着座部本体又は背もたれ部本体内に引き込みつつ前記フレームと連結可能な取付用連結手段とを具備した車両用シートカバーであれば、外観形状が異なるものなどにも適用することができる。
【図面の簡単な説明】
【００３３】
【図１】本発明の実施形態に係る車両用シートカバー及び該車両用シートカバーが装着される車両用シートを示す全体斜視図
【図２】図１におけるＩＩ−ＩＩ線断面図
【図３】図１におけるＩＩＩ−ＩＩＩ線断面図
【図４】同車両用シートカバーを裏面から見た全体模式図
【図５】同車両用シートカバーが具備する保持部材（袋体）の詳細を示す拡大断面図
【図６】同車両用シートカバーを車両用シートに装着する方法（装着過程）を説明するための拡大断面図
【図７】同車両用シートカバーを車両用シートに装着する方法（装着後）を説明するための拡大断面図
【符号の説明】
【００３４】
１    車両用シートカバー
２    車両用シート
２ａ  背もたれ部
２ｂ  着座部
３    収容部材
４    連結手段
５    袋体（保持部材）
６    取付用連結手段
Ｈ    表皮部材
Ｈ１〜Ｈ７  表皮片
Ｋ    シートカバー本体
Ｋ１〜Ｋ７  カバー片
Ｆ    フレーム
Ｕ    背もたれ部本体
Ｗ    固定用ワイヤ
【図１】
2007089869.tif 000003
【図２】
2007089869.tif 000004
【図３】
2007089869.tif 000005
【図４】
2007089869.tif 000006
【図５】
2007089869.tif 000007
【図６】
2007089869.tif 000008
【図７】
2007089869.tif 000009